(57)【要約】【課題】認証データの入力時における認証データの露見を防止することができる画像形成装置及び画像形成装置による認証データ入力画面の表示方法を提供する。【解決手段】認証データの登録時、或いは認証データの認証時に、認証データを入力するための認証データ入力画面を表示部３１に表示する複写機１において、表示部３１に表示される認証データ入力画面の表示サイズを設定するタッチパネル３２と、ＣＰＵ１１に、当該設定された表示サイズで、認証データ入力画面を、表示部３１に表示させる表示制御プログラム１３１と、を備えるよう構成した。【選択図】図２
2007021848.tif 000002
【特許請求の範囲】
【請求項１】
認証データの登録時、或いは認証データの認証時に、認証データを入力するための認証データ入力画面を表示手段に表示する画像形成装置において、
前記表示手段に表示される認証データ入力画面の表示サイズを設定するサイズ設定手段と、
前記サイズ設定手段により設定された表示サイズで、前記認証データ入力画面を、前記表示手段に表示させる表示制御手段と、
を備えることを特徴とする画像形成装置。
【請求項２】
請求項１に記載の画像形成装置において、
前記サイズ設定手段により設定された表示サイズが所定の基準表示サイズよりも小さい場合に、前記表示手段に表示される認証データ入力画面の表示位置を設定する位置設定手段を備え、
前記表示制御手段は、前記サイズ設定手段により設定された表示サイズで、前記認証データ入力画面を、前記表示手段における前記位置設定手段により設定された表示位置に表示させることを特徴とする画像形成装置。
【請求項３】
請求項２に記載の画像形成装置において、
前記サイズ設定手段により設定された認証データ入力画面の表示サイズを記憶するサイズ記憶手段と、
前記位置設定手段により設定された認証データ入力画面の表示位置を記憶する位置記憶手段と、を備え、
前記表示制御手段は、前記サイズ記憶手段により記憶された表示サイズで、前記認証データ入力画面を、前記表示手段における前記位置記憶手段により記憶された表示位置に表示させることを特徴とする画像形成装置。
【請求項４】
請求項１に記載の画像形成装置による、前記表示手段に表示される認証データ入力画面の表示方法であって、
前記サイズ設定手段によって、前記表示手段に表示される認証データ入力画面の表示サイズを設定するサイズ設定ステップと、
前記表示制御手段によって、前記サイズ設定ステップにおいて設定された表示サイズで、前記認証データ入力画面を、前記表示手段に表示させる表示制御ステップと、
を備えることを特徴とする画像形成装置による認証データ入力画面の表示方法。
【請求項５】
請求項２に記載の画像形成装置による、前記表示手段に表示される認証データ入力画面の表示方法であって、
前記サイズ設定手段によって、前記表示手段に表示される認証データ入力画面の表示サイズを設定するサイズ設定ステップと、
前記位置設定手段によって、前記サイズ設定ステップにおいて設定された表示サイズが前記所定の基準表示サイズよりも小さい場合に、前記表示手段に表示される認証データ入力画面の表示位置を設定する位置設定ステップと、
前記表示制御手段によって、前記サイズ設定ステップにおいて設定された表示サイズで、前記認証データ入力画面を、前記表示手段における前記位置設定ステップにおいて設定された表示位置に表示させる表示制御ステップと、
を備えることを特徴とする画像形成装置による認証データ入力画面の表示方法。
【請求項６】
請求項３に記載の画像形成装置による、前記表示手段に表示される認証データ入力画面の表示方法であって、
前記サイズ設定手段によって、前記表示手段に表示される認証データ入力画面の表示サイズを設定するサイズ設定ステップと、
前記サイズ記憶手段によって、前記サイズ設定ステップにおいて設定された認証データ入力画面の表示サイズを記憶するサイズ記憶ステップと、
前記位置設定手段によって、前記サイズ設定ステップにおいて設定された表示サイズが前記所定の基準表示サイズよりも小さい場合に、前記表示手段に表示される認証データ入力画面の表示位置を設定する位置設定ステップと、
前記位置記憶手段によって、前記位置設定ステップにおいて設定された認証データ入力画面の表示位置を記憶する位置記憶ステップと、
前記表示制御手段によって、前記サイズ記憶ステップにおいて記憶された表示サイズで、前記認証データ入力画面を、前記表示手段における前記位置記憶ステップにおいて記憶された表示位置に表示させる表示制御ステップと、
を備えることを特徴とする画像形成装置による認証データ入力画面の表示方法。
【発明の詳細な説明】
【技術分野】
【０００１】
本発明は、画像形成装置及び画像形成装置による認証データ入力画面の表示方法に関する。
【背景技術】
【０００２】
従来、個人認証機能を備えた画像形成装置が知られている。このような画像形成装置においては、例えば、入力された認証データを認証して、複写枚数を管理したり、或いは認証した個人に応じて動作を制限することができるようになっている。さらには、認証した個人に応じて操作部の操作画面のデザインなどを変更することができる画像形成装置も提案されている（例えば、特許文献１参照）。
【０００３】
認証データは、例えば、操作画面の上面に設けられたタッチパネルを操作して入力するようになっている。そのため、認証データの入力の際に、オペレータの背後から操作画面が覗き見られて、認証データが露見してしまう恐れがある。そこで、認証データの入力の際には、操作画面の輝度を下げて、操作画面を覗き見られ難くする方法（例えば、特許文献２参照）などが提案されている。
【特許文献１】特開２００２−３７０４２１号公報
【特許文献２】特開２００５−４４８８号公報
【発明の開示】
【発明が解決しようとする課題】
【０００４】
ところで、近年、操作性や視認性の向上を図って、操作画面を略鉛直に配置した画像形成装置や、操作画面の表示サイズが大きい画像形成装置などが提案されている。これらの画像形成装置には、操作画面の操作性や視認性が高いという利点の一方で、操作画面がより覗き見られ易いという欠点がある。さらに、操作画面の表示サイズが大きい場合は、認証データ入力時の腕の動きから、認証データが認識できてしまうという問題もある。そして、これらの欠点や問題に対しては、もはや特許文献２のような方法は有効でない。
【０００５】
本発明の課題は、認証データの入力時における認証データの露見を防止することができる画像形成装置及び画像形成装置による認証データ入力画面の表示方法を提供することにある。
【課題を解決するための手段】
【０００６】
上記課題を解決するために、請求項１に記載の発明は、認証データの登録時、或いは認証データの認証時に、認証データを入力するための認証データ入力画面を表示手段に表示する画像形成装置において、前記表示手段に表示される認証データ入力画面の表示サイズを設定するサイズ設定手段と、前記サイズ設定手段により設定された表示サイズで、前記認証データ入力画面を、前記表示手段に表示させる表示制御手段と、を備えることを特徴とする。
【０００７】
請求項２に記載の発明は、請求項１に記載の画像形成装置において、前記サイズ設定手段により設定された表示サイズが所定の基準表示サイズよりも小さい場合に、前記表示手段に表示される認証データ入力画面の表示位置を設定する位置設定手段を備え、前記表示制御手段は、前記サイズ設定手段により設定された表示サイズで、前記認証データ入力画面を、前記表示手段における前記位置設定手段により設定された表示位置に表示させることを特徴とする。
【０００８】
請求項３に記載の発明は、請求項２に記載の画像形成装置において、前記サイズ設定手段により設定された認証データ入力画面の表示サイズを記憶するサイズ記憶手段と、前記位置設定手段により設定された認証データ入力画面の表示位置を記憶する位置記憶手段と、を備え、前記表示制御手段は、前記サイズ記憶手段により記憶された表示サイズで、前記認証データ入力画面を、前記表示手段における前記位置記憶手段により記憶された表示位置に表示させることを特徴とする。
【０００９】
請求項４に記載の発明は、請求項１に記載の画像形成装置による、前記表示手段に表示される認証データ入力画面の表示方法であって、前記サイズ設定手段によって、前記表示手段に表示される認証データ入力画面の表示サイズを設定するサイズ設定ステップと、前記表示制御手段によって、前記サイズ設定ステップにおいて設定された表示サイズで、前記認証データ入力画面を、前記表示手段に表示させる表示制御ステップと、を備えることを特徴とする。
【００１０】
請求項５に記載の発明は、請求項２に記載の画像形成装置による、前記表示手段に表示される認証データ入力画面の表示方法であって、前記サイズ設定手段によって、前記表示手段に表示される認証データ入力画面の表示サイズを設定するサイズ設定ステップと、前記位置設定手段によって、前記サイズ設定ステップにおいて設定された表示サイズが前記所定の基準表示サイズよりも小さい場合に、前記表示手段に表示される認証データ入力画面の表示位置を設定する位置設定ステップと、前記表示制御手段によって、前記サイズ設定ステップにおいて設定された表示サイズで、前記認証データ入力画面を、前記表示手段における前記位置設定ステップにおいて設定された表示位置に表示させる表示制御ステップと、を備えることを特徴とする。
【００１１】
請求項６に記載の発明は、請求項３に記載の画像形成装置による、前記表示手段に表示される認証データ入力画面の表示方法であって、前記サイズ設定手段によって、前記表示手段に表示される認証データ入力画面の表示サイズを設定するサイズ設定ステップと、前記サイズ記憶手段によって、前記サイズ設定ステップにおいて設定された認証データ入力画面の表示サイズを記憶するサイズ記憶ステップと、前記位置設定手段によって、前記サイズ設定ステップにおいて設定された表示サイズが前記所定の基準表示サイズよりも小さい場合に、前記表示手段に表示される認証データ入力画面の表示位置を設定する位置設定ステップと、前記位置記憶手段によって、前記位置設定ステップにおいて設定された認証データ入力画面の表示位置を記憶する位置記憶ステップと、前記表示制御手段によって、前記サイズ記憶ステップにおいて記憶された表示サイズで、前記認証データ入力画面を、前記表示手段における前記位置記憶ステップにおいて記憶された表示位置に表示させる表示制御ステップと、を備えることを特徴とする。
【発明の効果】
【００１２】
請求項１，４に記載の発明によれば、表示手段に表示される認証データ入力画面の表示サイズを設定することができる。したがって、認証データ入力画面の表示サイズが大きいなどの理由から、認証データ入力画面を覗き見られてしまったり、腕の動きから認証データを認識されてしまう恐れがあると判断した場合には、オペレータは、認証データ入力画面の表示サイズを、例えば、より小さくするよう設定することができることとなって、認証データの入力時における認証データの露見を防止することができる。
【００１３】
請求項２，５に記載の発明によれば、請求項１，４に記載の発明と同様の効果が得られることは無論のこと、表示手段に表示される認証データ入力画面の表示位置を設定することができる。したがって、オペレータは、例えば、認証データを入力し易い位置や自身の体などで認証データ入力画面を隠すことができる位置などに、認証データ入力画面の表示位置を移動させるよう設定することができることとなって、より確実に、認証データの入力時における認証データの露見を防止することができる。
【００１４】
請求項３，６に記載の発明によれば、請求項２，５に記載の発明と同様の効果が得られることは無論のこと、設定された認証データ入力画面の表示サイズや表示位置を記憶することができる。したがって、認証データの入力の度に、認証データ入力画面の表示サイズや表示位置を設定する必要がなくなって、手間をかけることなく、認証データの入力時における認証データの露見を防止することができる。
【発明を実施するための最良の形態】
【００１５】
以下、図を参照して、本発明にかかる画像形成装置及び画像形成装置による認証データ入力画面の表示方法の最良の形態を詳細に説明する。なお、発明の範囲は、図示例に限定されない。
【００１６】
[第１の実施の形態]
まず、第１の実施の形態における画像形成装置及び画像形成装置による認証データ入力画面の表示方法について説明する。
第１の実施の形態では、画像形成装置として複写機１を例示して説明することとする。
【００１７】
＜複写機＞
まず、複写機１の構成について、図１及び図２を参照して説明する。
複写機１は、例えば、図１に示すように、画像読取部２０、操作部３０、複写機本体１００などを備えて構成される。画像読取部２０や操作部３０などは、複写機本体１００の上部に配置されている。
【００１８】
画像読取部２０、操作部３０などは、例えば、図２に示すように、複写機１の本体制御部１０に接続されており、本体制御部１０との間で各種の信号やデータなどを送受することができるようになっている。
【００１９】
画像読取部２０は、例えば、図１に示すように、スキャナ２１、自動原稿送り装置２２などを備えている。
【００２０】
スキャナ２１は、本体制御部１０からの指示に従って、原稿台２１１上にある原稿から原稿画像の原稿画像データを読み取り、当該読み取った原稿画像データを本体制御部１０に出力する。
【００２１】
自動原稿送り装置２２は、スキャナ２１の上部に開閉可能に取り付けられており、本体制御部１０からの指示に従って、原稿を原稿台２１１上に送り込む、原稿送り機構を有している。
【００２２】
操作部３０は、例えば、図１及び図２に示すように、表示画面が略鉛直に配置された表示部３１、タッチパネル３２などを備えている。
【００２３】
表示部３１は、例えば、ＣＲＴ（Cathode Ray Tube）ディスプレイやＬＣＤ（Liquid Crystal Display）、ＥＬ（Electro Luminescence）ディスプレイなどであり、本体制御部１０から入力される表示信号に従って所与の表示処理を行う。
具体的には、表示部３１は、例えば、表示手段として、本体制御部１０が、認証データの登録時、或いは認証データの認証時に、認証データを入力するための認証データ入力画面を表示する際などに使用される。
【００２４】
タッチパネル３２は、表示部３１の表示画面の上面を覆うように設置されており、オペレータの指などを用いた押圧操作によって押圧入力された所望の入力位置を検出し、その検出信号を本体制御部１０に出力する。
具体的には、タッチパネル３２は、例えば、サイズ設定手段及び位置設定手段として、オペレータが、表示部３１に表示される認証データ入力画面の表示サイズや表示位置を設定する際に使用される。
なお、例えば、設定された表示サイズが所定の基準表示サイズよりも小さい場合にのみ、タッチパネル３２による認証データ入力画面の表示位置の設定が可能であるとする。
ここで、所定の基準表示サイズとは、例えば、表示画面上に表示可能な最大限の表示サイズをいう。
【００２５】
複写機本体１００は、内部に、例えば、画像形成出力部４０、用紙トレイ（図示省略）、排紙トレイ（図示省略）などを備えている。
画像形成出力部４０などは、例えば、図２に示すように、複写機１の本体制御部１０に接続されており、本体制御部１０との間で各種の信号やデータなどを送受することができるようになっている。
【００２６】
画像形成出力部４０は、本体制御部１０からの指示に従って、画像データに基づく画像を記録材料に形成して出力する。
【００２７】
複写機１の本体制御部１０は、例えば、図２に示すように、画像読取部２０、操作部３０、画像形成出力部４０、画像処理部５０などと接続されている。
【００２８】
本体制御部１０は、例えば、図２に示すように、ＣＰＵ（Central Processing Unit）１１、ＲＡＭ（Random Access Memory）１２、記憶部１３などを備えて構成される。
【００２９】
ＣＰＵ１１は、記憶部１３に記憶された複写機１用の各種処理プログラムに従って各種の制御動作を行う。
【００３０】
ＲＡＭ１２は、ＣＰＵ１１によって実行される処理プログラムなどを展開するためのプログラム格納領域や、入力データや上記処理プログラムが実行される際に生じる処理結果などを格納するデータ格納領域などを備える。
【００３１】
記憶部１３は、複写機１で実行可能なシステムプログラム、当該システムプログラムで実行可能な各種処理プログラム、これら各種処理プログラムを実行する際に使用されるデータ、ＣＰＵ１１によって演算処理された処理結果のデータなどを記憶する。なお、プログラムは、コンピュータが読み取り可能なプログラムコードの形で記憶部１３に記憶されている。
具体的には、記憶部１３には、例えば、図２に示すように、表示制御プログラム１３１などが記憶されている。
【００３２】
表示制御プログラム１３１は、ＣＰＵ１１に、オペレータによるタッチパネル３２の操作により設定された表示サイズで、認証データ入力画面を、表示部３１に表示させる機能を実現させる。また、表示制御プログラム１３１は、ＣＰＵ１１に、設定された表示サイズが所定の基準表示サイズよりも小さい場合に、当該設定された表示サイズで、認証データ入力画面を、表示部３１におけるオペレータによるタッチパネル３２の操作により設定された表示位置に表示させる機能を実現させる。
ＣＰＵ１１は、かかる表示制御プログラム１３１を実行することによって、表示制御手段として機能する。
【００３３】
画像処理部５０は、本体制御部１０からの指示に従って、画像データなどを作成する。
【００３４】
＜複写機による認証データ入力画面の表示方法＞
次に、複写機１による認証データ入力画面の表示方法について、図３のフローチャートを参照して説明する。
【００３５】
まず、オペレータによる操作部３０のタッチパネル３２の操作などによって、操作部３０の表示部３１に、入力画面を表示するよう指示されると（ステップＳ１１）、ＣＰＵ１１は、当該指示に従って表示させる入力画面は認証データ入力画面であるか否かを判断する（ステップＳ１２）。
【００３６】
ステップＳ１２で、表示させる入力画面は認証データ入力画面でないと判断すると（ステップＳ１２；Ｎｏ）、ＣＰＵ１１は、ステップＳ１１での指示に従って、表示部３１に、所定の基準表示サイズで、認証データ入力画面以外のその他の入力画面を表示させる（ステップＳ１３）。
【００３７】
一方、ステップＳ１２で、表示させる入力画面は認証データ入力画面であると判断すると（ステップＳ１２；Ｙｅｓ）、ＣＰＵ１１は、表示制御プログラム１３１を実行して、表示部３１に、所定の基準表示サイズで、認証データ入力画面を表示させる（ステップＳ１４）。
具体的には、表示部３１には、例えば、図４に示すような、第１の認証データ入力画面Ａ１が表示される。第１の認証データ入力画面Ａ１には、例えば、各種「文字／数字」キーｋ１１、「サイズ位置変更」キーｋ１２などが表示されている。
【００３８】
次いで、ＣＰＵ１１は、「サイズ位置変更」キーｋ１２が押圧されたか否かを判断する（ステップＳ１５）。
【００３９】
ステップＳ１５で、「サイズ位置変更」キーｋ１２が押圧されていないと判断すると（ステップＳ１５；Ｎｏ）、ＣＰＵ１１は、ステップＳ２１の処理に移行する。
【００４０】
一方、ステップＳ１５で、「サイズ位置変更」キーｋ１２が押圧されたと判断すると（ステップＳ１５；Ｙｅｓ）、ＣＰＵ１１は、表示部３１に、例えば、図５に示すような、サイズ位置変更画面Ａ２を表示させる（ステップＳ１６）。
具体的には、サイズ位置変更画面Ａ２には、例えば、各「画面サイズ（比）」キーｋ２１、各「表示位置」キーｋ２２などが表示されている。
【００４１】
次いで、各「画面サイズ（比）」キーｋ２１の何れか一つが押圧されて認証データ入力画面の表示サイズが設定され（ステップＳ１７）、各「表示位置」キーｋ２２の何れか一つが押圧されて認証データ入力画面の表示位置が設定されると（ステップＳ１８）、ＣＰＵ１１は、当該設定された表示サイズが所定の基準表示サイズよりも小さいか否かを判断する（ステップＳ１９）。
【００４２】
ステップＳ１９で、設定された表示サイズが所定の基準表示サイズよりも小さくないと判断すると（ステップＳ１９；Ｎｏ）、すなわち、ステップＳ１７で押圧されたキーが、例えば、図５に示すサイズ位置変更画面Ａ２における各「画面サイズ（比）」キーｋ２１のうちの「１００％」キーであったと判断すると、ＣＰＵ１１は、ステップＳ１４以降の処理を繰り返して行う。
【００４３】
一方、ステップＳ１９で、設定された表示サイズが所定の基準表示サイズよりも小さいと判断すると（ステップＳ１９；Ｙｅｓ）、すなわち、ステップＳ１７で押圧されたキーが、例えば、図５に示すサイズ位置変更画面Ａ２における各「画面サイズ（比）」キーｋ２１のうちの「７５％」キー又は「５０％」キーであったと判断すると、ＣＰＵ１１は、表示制御プログラム１３１を実行して、表示部３１に、ステップＳ１７で設定された表示サイズで、ステップＳ１８で設定された表示位置に、認証データ入力画面を表示させる（ステップＳ２０）。
具体的には、例えば、ステップＳ１７で、各「画面サイズ（比）」キーｋ２１のうちの「７５％」キーが押圧され、ステップＳ１８で、各「表示位置」キーｋ２２のうちの「右下」キーが押圧されたとすると、ＣＰＵ１１は、表示部３１に、例えば、図６に示すような、第２の認証データ入力画面Ａ３を表示させる。
【００４４】
次いで、ＣＰＵ１１は、認証データ入力画面（第１の認証データ入力画面Ａ１（図４）、或いは第２の認証データ入力画面Ａ３（図６））での、認証データ（パスワード）の入力が完了したか否かを判断する（ステップＳ２１）。
【００４５】
ステップＳ２１で、認証データ（パスワード）の入力が完了していないと判断すると（ステップＳ２１；Ｎｏ）、ＣＰＵ１１は、ステップＳ１５以降の処理を繰り返して行う。
【００４６】
一方、ステップＳ２１で、認証データ（パスワード）の入力が完了したと判断すると（ステップＳ２１；Ｙｅｓ）、ＣＰＵ１１は本処理を終了する。
【００４７】
以上説明した第１の実施の形態の複写機１によれば、オペレータによるタッチパネル３２の操作によって、表示部３１に表示される認証データ入力画面の表示サイズを設定することができる。そして、当該設定された表示サイズが所定の基準表示サイズよりも小さい場合に、オペレータによるタッチパネル３２の操作によって、表示部３１に表示される認証データ入力画面の表示位置を設定することができ、表示制御プログラム１３１を実行したＣＰＵ１１によって、当該設定された表示サイズで、認証データ入力画面を、表示部３１における当該設定された表示位置に表示させることができる。
すなわち、表示部３１に表示される認証データ入力画面の表示サイズや表示位置を設定することができる。したがって、認証データ入力画面の表示サイズが大きいなどの理由から、認証データ入力画面を覗き見られてしまったり、腕の動きから認証データを認識されてしまう恐れがあると判断した場合には、オペレータは、認証データ入力画面の表示サイズを、例えば、より小さくするよう設定することができる。さらに、オペレータは、例えば、認証データを入力し易い位置や自身の体などで認証データ入力画面を隠すことができる位置などに、認証データ入力画面の表示位置を移動させるよう設定することができることとなって、より確実に、認証データの入力時における認証データの露見を防止することができる。特に、複写機１では、表示部３１の表示画面が略鉛直に配置されているため、背後から認証データ入力画面が覗き見られ易いが、認証データ入力画面を小さく設定し、さらに、認証データ入力画面の表示位置を移動させることによって、認証データの露見防止をより効果的に実現できる。
【００４８】
[第２の実施の形態]
次に、第２の実施の形態における画像形成装置及び画像形成装置による認証データ入力画面の表示方法について説明する。
第２の実施の形態では、画像形成装置として複写機１ａを例示して説明することとする。
【００４９】
＜複写機＞
まず、複写機１ａの構成について、図７を参照して説明する。
なお、第２の実施の形態の複写機１ａは、設定された認証データ入力画面の表示サイズや表示位置を記憶する点においてのみ第１の実施の形態の複写機１（図１及び図２）と異なる。具体的には、複写機１（図２）における本体制御部１０の記憶部１３の構成の一部が異なる。したがって、異なる箇所のみについて説明し、その他の共通する部分は同一符号を付して説明する。
【００５０】
複写機１ａは、例えば、図７に示すように、本体制御部１０ａ、画像読取部２０、操作部３０、画像形成出力部４０、画像処理部５０などを備えて構成される。
【００５１】
本体制御部１０ａは、例えば、図７に示すように、ＣＰＵ１１、ＲＡＭ１２、記憶部１３ａなどを備えて構成される。
【００５２】
記憶部１３ａには、例えば、図７に示すように、表示制御プログラム１３１ａ、サイズ・位置データテーブル１３２ａなどが記憶されている。
【００５３】
サイズ・位置データテーブル１３２ａは、サイズ記憶手段及び位置記憶手段として、オペレータによる操作部３０のタッチパネル３２の操作などにより設定された認証データ入力画面の表示サイズや表示位置を記憶する。
具体的には、サイズ・位置データテーブル１３２ａには、例えば、予め、表示サイズとして「所定の基準表示サイズ」が記憶されており、表示位置として「中央」が記憶されているとする。そして、オペレータによる操作部３０のタッチパネル３２の操作などによって表示サイズや表示位置が設定されると、サイズ・位置データテーブル１３２ａには、当該設定された表示サイズや表示位置が記憶される。
【００５４】
表示制御プログラム１３１ａは、ＣＰＵ１１に、サイズ・位置データテーブル１３２ａにより記憶された表示サイズで、前記認証データ入力画面を、表示部３１におけるサイズ・位置データテーブル１３２ａにより記憶された表示位置に表示させる機能を実現させる。
ＣＰＵ１１は、かかる表示制御プログラム１３１ａを実行することによって、表示制御手段として機能する。
【００５５】
＜複写機による認証データ入力画面の表示方法＞
次に、複写機１ａによる認証データ入力画面の表示方法について説明する。
【００５６】
（表示サイズ・表示位置の記憶処理）
まず、複写機１ａによる認証データ入力画面の表示サイズ・表示位置の記憶に関する処理について、図８のフローチャートを参照して説明する。
【００５７】
まず、オペレータによる操作部３０のタッチパネル３２の操作などによって、操作部３０の表示部３１に、管理者設定メニュー画面を表示するよう指示されると（ステップＳ３１）、ＣＰＵ１１は、当該指示に従って、表示部３１に、例えば、図９に示すような、管理者設定メニュー画面Ａ４を表示させる（ステップＳ３２）。
具体的には、管理者設定メニュー画面Ａ４には、例えば、「認証画面設定」キーｋ４１などが表示されている。
【００５８】
次いで、「認証画面設定」キーｋ４１が押圧されると（ステップＳ３３）、ＣＰＵ１１は、表示部３１に、例えば、図１０に示すような、認証画面設定画面Ａ５を表示させる（ステップＳ３４）。
具体的には、認証画面設定画面Ａ５には、例えば、各「画面サイズ（比）」キーｋ５１、各「表示位置」キーｋ５２などが表示されている。
【００５９】
次いで、各「画面サイズ（比）」キーｋ５１の何れか一つが押圧されて認証データ入力画面の表示サイズが設定され（ステップＳ３５）、各「表示位置」キーｋ５２の何れか一つが押圧されて認証データ入力画面の表示位置が設定されると（ステップＳ３６）、ＣＰＵ１１は、サイズ・位置データテーブル１３２ａに、ステップＳ３５で設定された表示サイズと、ステップＳ３６で設定された表示位置と、を記憶させ（ステップＳ３７）、本処理を終了する。
なお、ステップＳ３５で設定された表示サイズが所定の基準表示サイズよりも小さくない場合は、すなわち、ステップＳ３５で押圧されたキーが、例えば、図１０に示す認証画面設定画面Ａ５における各「画面サイズ（比）」キーｋ５１のうちの「１００％」キーであった場合は、サイズ・位置データテーブル１３２ａには、表示位置として、例えば、「中央」が記憶される。
【００６０】
（認証データ入力画面の表示処理）
次に、複写機１ａによる認証データ入力画面の表示に関する処理について、図１１のフローチャートを参照して説明する。
【００６１】
まず、オペレータによる操作部３０のタッチパネル３２の操作などによって、操作部３０の表示部３１に、入力画面を表示するよう指示されると（ステップＳ５１）、ＣＰＵ１１は、当該指示に従って表示させる入力画面は認証データ入力画面であるか否かを判断する（ステップＳ５２）。
【００６２】
ステップＳ５２で、表示させる入力画面は認証データ入力画面でないと判断すると（ステップＳ５２；Ｎｏ）、ＣＰＵ１１は、ステップＳ５１での指示に従って、表示部３１に、所定の基準表示サイズで、認証データ入力画面以外のその他の入力画面を表示させる（ステップＳ５３）。
【００６３】
一方、ステップＳ５２で、表示させる入力画面は認証データ入力画面であると判断すると（ステップＳ５２；Ｙｅｓ）、ＣＰＵ１１は、サイズ・位置データテーブル１３２ａから表示サイズを取得する（ステップＳ５４）。
【００６４】
次いで、ＣＰＵ１１は、ステップＳ５４で取得した表示サイズ、すなわち、予め設定された表示サイズが所定の基準表示サイズよりも小さいか否かを判断する（ステップＳ５５）。
【００６５】
ステップＳ５５で、予め設定された表示サイズが所定の基準表示サイズよりも小さくないと判断すると（ステップＳ５５；Ｎｏ）、ＣＰＵ１１は、表示制御プログラム１３１ａを実行して、表示部３１に、所定の基準表示サイズで、認証データ入力画面を表示させる（ステップＳ５６）。
具体的には、表示部３１には、例えば、図１２に示すような、第３の認証データ入力画面Ａ６が表示される。第３の認証データ入力画面Ａ６には、例えば、各種「文字／数字」キーｋ６１などが表示されている。
【００６６】
一方、ステップＳ５５で、予め設定された表示サイズが所定の基準表示サイズよりも小さいと判断すると（ステップＳ５５；Ｙｅｓ）、ＣＰＵ１１は、サイズ・位置データテーブル１３２ａから表示位置を取得する（ステップＳ５７）。
【００６７】
次いで、ＣＰＵ１１は、表示制御プログラム１３１ａを実行して、表示部３１に、ステップＳ５４で取得した予め設定された表示サイズで、ステップＳ５７で取得した予め設定された表示位置に、認証データ入力画面を表示させ（ステップＳ５８）、本処理を終了する。
具体的には、例えば、ステップＳ５４で、表示サイズとして所定の基準表示サイズの「７５％」を取得し、ステップＳ５７で、表示位置として「右下」を取得したとすると、ＣＰＵ１１は、表示部３１に、例えば、図１３に示すような、第４の認証データ入力画面Ａ７を表示させる。
【００６８】
以上説明した第２の実施の形態の複写機１ａによれば、サイズ・位置データテーブル１３２ａによって、オペレータによるタッチパネル３２の操作により設定された認証データ入力画面の表示サイズや表示位置を記憶することができ、表示制御プログラム１３１ａを実行したＣＰＵ１１によって、サイズ・位置データテーブル１３２ａにより記憶された表示サイズで、認証データ入力画面を、表示部３１におけるサイズ・位置データテーブル１３２ａにより記憶された表示位置に表示させることができる。
したがって、認証データの入力の度に、認証データ入力画面の表示サイズや表示位置を設定する必要がなくなって、手間をかけることなく、認証データの入力時における認証データの露見を防止することができる。
【００６９】
なお、本発明は、上記した実施の形態のものに限るものではなく、その要旨を逸脱しない範囲で適宜変更可能である。
第１及び第２の実施の形態において、画像形成装置は、複写機１，１ａの限りでなく、認証データの登録時、或いは認証データの認証時に、認証データを入力するための認証データ入力画面を表示する表示部３１を備えるのであれば、例えば、プリンタなどであってもよい。
【００７０】
第１及び第２の実施の形態において、所定の基準表示サイズは、表示画面上に表示可能な最大限の表示サイズの限りではなく、表示画面上に表示可能な最大限の表示サイズに対して予め設定された倍率（例えば、８０％など）の表示サイズであってもよい。
【００７１】
第１及び第２の実施の形態において、認証データ入力画面の表示サイズや表示位置の設定方法は、実施の形態での説明の限りではなく、任意である。具体的には、例えば、表示サイズは、予め用意された複数個のサイズ（所定の基準表示サイズの「１００％」、「７５％」及び「５０％」）の中から選択して設定するのではなく、任意のサイズを選択して設定することができるようにしてもよい。また、例えば、表示位置は、予め用意された複数個の位置（「左上」、「中央」、「右下」など）の中から選択して設定するのではなく、任意の位置を選択して設定することができるようにしてもよい。
また、少なくとも認証データ入力画面の表示サイズを設定することができればよく、表示位置の設定は必須ではない。
【００７２】
第２の実施の形態において、サイズ・位置データテーブル１３２ａに記憶させる認証データ入力画面の表示サイズや表示位置は、例えば、オペレータ毎に設定した表示サイズや表示位置であってもよい。
【００７３】
第１の実施の形態と第２の実施の形態とを組み合わせてもよい。具体的には、例えば、第２の実施の形態の複写機１ａの表示部３１に表示される第３の認証データ入力画面Ａ６（図１２）や第４の認証データ入力画面Ａ７（図１３）に、第１の実施の形態の複写機１の表示部３１に表示される第１の認証データ入力画面Ａ１（図４）などに表示されていた「サイズ位置変更」キーｋ１２を表示するようにしてもよい。そして、第３の認証データ入力画面Ａ６（図１２）や第４の認証データ入力画面Ａ７（図１３）に表示させた「サイズ位置変更」キーｋ１２によって、第２の実施の形態において説明した方法で設定されて記憶された認証データ入力画面の表示サイズや表示位置を、第１の実施の形態において説明した方法で、改めて設定するようにしてもよい。
【図面の簡単な説明】
【００７４】
【図１】第１の実施の形態における複写機の外観正面図である。
【図２】第１の実施の形態における複写機の本体制御部の機能的構成を示すブロック図である。
【図３】第１の実施の形態における複写機による認証データ入力画面の表示方法を説明するためのフローチャートである。
【図４】第１の認証データ入力画面を示す図である。
【図５】サイズ位置変更画面を示す図である。
【図６】第２の認証データ入力画面を示す図である。
【図７】第２の実施の形態における複写機の本体制御部の機能的構成を示すブロック図である。
【図８】第２の実施の形態における複写機による認証データ入力画面の表示サイズ・表示位置の記憶に関する処理を説明するためのフローチャートである。
【図９】管理者設定メニュー画面を示す図である。
【図１０】認証画面設定画面を示す図である。
【図１１】第２の実施の形態における複写機による認証データ入力画面の表示に関する処理を説明するためのフローチャートである。
【図１２】第３の認証データ入力画面を示す図である。
【図１３】第４の認証データ入力画面を示す図である。
【符号の説明】
【００７５】
１，１ａ  複写機（画像形成装置）
３１  表示部（表示手段）
３２  タッチパネル（サイズ設定手段、位置設定手段）
１１  ＣＰＵ（表示制御手段）
１３１，１３１ａ  表示制御プログラム（表示制御手段）
１３２ａ  サイズ・位置データテーブル（サイズ記憶手段、位置記憶手段）
【図１】
2007021848.tif 000003
【図２】
2007021848.tif 000004
【図３】
2007021848.tif 000005
【図４】
2007021848.tif 000006
【図５】
2007021848.tif 000007
【図６】
2007021848.tif 000008
【図７】
2007021848.tif 000009
【図８】
2007021848.tif 000010
【図９】
2007021848.tif 000011
【図１０】
2007021848.tif 000012
【図１１】
2007021848.tif 000013
【図１２】
2007021848.tif 000014
【図１３】
2007021848.tif 000015